(57)【要約】【課題】  簡単な構造で廃棄物の分別収集ができ、保管時、店頭陳列時など使用時以外は、効率よく積み重ね嵩張らないごみ箱を提供する。【解決手段】  一体に形成され上部に開口を有するごみ箱であって、該ごみ箱の底部又は開口部分の一方に垂直方向の係止突起が設けられ、他方に該係止突起が嵌合可能な形状の凹部が設けられており、ごみ箱として使用時には第１のごみ箱の開口部分に設けられた係止突起又は凹部と、第２の当該ごみ箱の底部に設けられた凹部又は係止突起とを嵌合させて複数個のごみ箱が積み重ね可能で、かつ、使用時以外には第１のごみ箱の開口より第２のごみ箱の底部が進入し容積の３０％以上を包含可能な形状を備えたごみ箱。【選択図】  図１
0003171924.tif 000002
【実用新案登録請求の範囲】
【請求項１】
一体に形成され上部に開口を有するごみ箱であって、該ごみ箱の底部又は開口部分の一方に垂直方向の係止突起が設けられ、他方に該係止突起が嵌合可能な形状の凹部が設けられており、ごみ箱として使用時には第１のごみ箱の開口部分に設けられた係止突起又は凹部と、第２の当該ごみ箱の底部に設けられた凹部又は係止突起とを嵌合させて複数個のごみ箱が積み重ね可能で、かつ、使用時以外には第１のごみ箱の開口より第２のごみ箱の底部が進入し容積の３０％以上を包含可能な形状を備えたごみ箱。
【請求項２】
ごみ箱の側壁の内面が、底面から開口に向け、順次外方に向けて傾斜してなる請求項１の積み重ねごみ箱。
【請求項３】
開口の周縁壁をなす側壁の一部が係止突起をなし、底部に該係止突起が嵌合可能な形状の溝状の凹部が設けられてなる請求項１のごみ箱。
【請求項４】
開口の周縁壁の一部に係止突起が設けられ、底部に該係止突起が嵌合可能な形状の凹部が設けられてなる請求項１のごみ箱。
【考案の詳細な説明】
【技術分野】
【０００１】
本考案はごみ箱、特に家庭などの室内用のごみ箱に関する。本考案のごみ箱は単体で使用できることはもちろん、特に積み重ねて多段とし、ごみの分別収集に好適なごみ箱である。
【背景技術】
【０００２】
近年、各自治体では廃棄物を焼却可能ごみ、リサイクル可能廃棄物、その他の不燃物などに分別したうえで家庭から収集し処理の効率化、合理化をはかっている。このような状況から、各家庭においても、紙くず、不燃物、リサイクル資源など、種類の異なるごみ(廃棄物)に分類して複数のごみ箱に分別保管しておきたいとの要望が多い。
【０００３】
このような分別収集用のごみ箱として、種々の形態のごみ箱が市販或いは提案されている。たとえば、下記の特許文献１,２には、本体と蓋とからなり、蓋に複数の投入口を設けた分別ごみ箱が記載されている。特許文献３には、フレームにて形成した複数段の棚にゴミ箱を恒常的に斜め状態で着脱自在に支持した分別ごみ箱装置が記載されている。また、特許文献４には、ごみ箱が底部より大きな面積の上部開口を有し、該底部に着脱可能に装着した連結底板を介して複数のごみ箱を積層連結可能にすることが記載されている。
【０００４】
しかしながら、前記文献１,２のような複数の投入口を設けた分別ごみ箱は屋外の大型ごみ箱、業務用の分別ごみ箱には適しても、家庭の居室で分別収集するには嵩高く好ましくない。また、文献３に記載のような複数段の棚にゴミ箱を着脱自在に設けた分別ごみ箱も同様である。文献４のごみ箱では、ごみ箱の底部に着脱可能な連結底板を設けて複数のごみ箱を積層するものであり、店頭に多数陳列することができず分離される部材のため運搬に不便である。
【０００５】
その他、分別収集が可能なプラスチック製の室内用ごみ箱も幾つか市販されている。たとえば、図７、図８に示すごみ箱は、その上部５よりも面積の狭い底面６を有する本体容器部７と取り外し容易で端部にごみ投入口を設けた蓋部８とから構成され、下段のごみ箱ｄ１の蓋部の上に、上段のごみ箱ｄ２を載せて多段に積み重ねる方式になっている。このようなごみ箱は、本体とは別に蓋等の部品を用いる仕様になるため製造コストが上昇し、店頭における陳列効率も悪く、大量陳列には適さない。なお、蓋と本体を別々に重ね合わせて陳列することにより、ある程度陳列効率は改善されるが、製品の管理が繁雑となる。
【０００６】
【特許文献１】特開２００１−３３５１０３
【特許文献２】特開２００２−１２０９０３
【特許文献３】特開２００５−２３９４００
【特許文献４】特開２００６−２９８５９５
【考案の開示】
【考案が解決しようとする課題】
【０００７】
本考案の目的は極めてシンプルな部品構成(本体のみ)で分別収集の可能なごみ箱を提供することにある。また、本考案の他の目的は保管時、店頭陳列時、運搬時など、ごみ箱として使用時以外は効率よく積み重ね保管ができ嵩張らないごみ箱を提供することにある。
【課題を解決するための手段】
【０００８】
本考案は、一体に形成され上部に開口１６を有するごみ箱であって、該ごみ箱の底部又は開口部分の一方に垂直方向の係止突起１８が設けられ、他方に該係止突起が嵌合可能な形状の凹部２０が設けられており、ごみ箱として使用時には第１のごみ箱の開口部分に設けられた係止突起又は凹部と、第２の当該ごみ箱の底部に設けられた凹部又は係止突起とを嵌合させて複数個のごみ箱が積み重ね可能で、かつ、使用時以外には第１のごみ箱の開口より第２のごみ箱の底部が進入し容積の３０％以上を包含可能な形状を備えたごみ箱を提供するものである。
【０００９】
本考案ごみ箱の側壁１２の内面は、ごみ箱の底面から開口１６に向け、徐々に外方に向けて傾斜しているのが好ましい。また、本考案ごみ箱の好ましい実施態様では、開口１６の周縁壁をなす側壁１２の一部が延長されて係止突起１８をなし、ごみ箱の底部に該係止突起が嵌合可能な形状の溝状の凹部２０が設けられる。
【考案の効果】
【００１０】
本考案のごみ箱は当然に単体でも通常のごみ箱として使用できる。かつ、必要に応じて、その係止突起と、他の第２の当該ごみ箱の凹部との嵌合により２個或いはそれ以上を積み重ね、多段のごみ箱とし、簡便にごみの分別収集に用いることができる。使用時以外のとき、たとえば保管、店頭陳列時には効率よく積み重ねることができ場所をとることがない。本考案のごみ箱は構造が簡単で嵩張らず、家庭の居室、台所或いは事務所、学校など室内用として好ましい。
【図面の簡単な説明】
【００１１】
【図１】(ａ)は本考案ごみ箱の斜視図である。(ｂ)は(ａ)のＡ−Ａ線にて破断した斜視図であり、(ｃ)は(ａ)のＡ−Ａ線における断面図である。
【図２】(ａ)は本考案のごみ箱を２段に重ねた背面方向からの説明図である。(ｂ)は(ａ)のＢ−Ｂ線における断面図であり、(ｃ)は(ａ)の嵌合部分の拡大断面図である。
【図３】本考案ごみ箱の他の具体例を示す斜視図である。
【図４】本考案ごみ箱の他の具体例を示す斜視図である。
【図５】本考案ごみ箱の他の具体例を示す斜視図である。
【図６】店頭陳列時における本考案ごみ箱の状態を示す断面図である。
【図７】従来市販のごみ箱の一具体例を示す斜視図である。
【図８】図７のごみ箱のＣ−Ｃ線における模式的断面図である。
【考案を実施するための最良の形態】
【００１２】
(実施例１)
本考案のごみ箱は一体に形成されている。ここで一体に形成されているとは、ごみを収容する部分であるごみ箱本体の他に、蓋など通常の手段で日常的に容易に分離される部分がなく一体化していることを意味する。好ましくは、プラスチック材料による一体成型製品があげられるが、必要により別成型の部材を本体に恒常的に取り付け固着した場合も、ここで述べる一体に形成されている製品である。
【００１３】
図１に示すように、本考案のごみ箱１は、その底部に設けられた底面１１及び該底面より立ち上がる側壁１２からなり、側壁の上縁１４はごみ箱の上部の開口１６を形成する。該上縁１４には側壁１２の一部が延長された係止突起１８が上方に、かつ開口に対しやや外方に向けて設けられる。この実施例において、該係止突起１８はごみ箱の取手をなす。この係止突起１８はごみ箱の開口部分、すなわちごみ箱上部の開口付近に形成されておればよい。
係止突起１８の真下の側壁１２は、図１(ｂ)(ｃ)に示すように、底面付近にてごみ箱本体側に窪んで凹部壁面２２を形成し、一方、さらに下方に延長して係止片１９が形成され、凹部壁面２２との間に凹部２０を形成する。この凹部２０は係止突起１８に対応して係止突起が嵌合可能な形状、容積を備えており、本考案の２つのごみ箱を結合する。
【００１４】
つぎに本考案のごみ箱を使用する場合について説明する。
このごみ箱を単独で使用する場合は、通常のごみ箱として何ら従来の製品と変わりなく、紙くず、その他の不要物を投入、保管し、内容物がたまれば適宜これを処分する。
このごみ箱の特徴的な使用法では、２段或いはそれ以上の複数個のごみ箱を上に積み重ねて同時に使用することができ、廃棄物の分別収集を容易にすることにある。以下の説明において、図中の符号、たとえば１８(１)の表示は１段目(下段)の、１８(２)の表示は２段目のごみ箱の当該部分を示す。
【００１５】
図２(ａ)(ｂ)に示すように、１段目のごみ箱１(１)を置いた上に、上方から２段目のごみ箱１(２)を載せるにあたり、１段目ごみ箱の係止突起１８(１)に対して、２段目ごみ箱の凹部２０(２)を上から被せる。図２(ｃ)にその結合部分を拡大して示すように、１段目ごみ箱の係止突起１８(１)は、２段目ごみ箱の係止片１９(２)と凹部壁面２２(２)により形成された凹部２０(２)に嵌合し、１段目及び２段目のごみ箱が図２(ａ)(ｂ)のごとく縦に積み重なる。該凹部２０(２)を形成する係止片１９(２)と凹部壁面２２(２)との空間は、１段目ごみ箱１(１)の係止突起１８(１)を挿入するにあたり充分な空間を有していて、１段目ごみ箱の上に容易に２段目のごみ箱を載せることができ、さらに上に３段目を積重ねることも可能である。
【００１６】
このように複数のごみ箱を積重ねた場合、図２(ａ)(ｂ)の積重ね状態では、上段のごみ箱１(２)の重心が上下のごみ箱１(１)と１(２)の結合部分より前にあるため前方に傾斜しようとするが、これが上段ごみ箱の係止片１９(２)と下段ごみ箱の係止突起１８(１)との係合により阻止され安定する。
図２(ｂ)に示すようなごみ箱の積み重ね状態にて、１段目のごみ箱の開口１６(１)はごみの投入に充分な開口面積が確保され、上下２段の分別収集用ごみ箱として使用することができる。本考案ごみ箱の積み重ね段数は、通常、２段又は３段程度であるが、適宜の設計変更によりそれ以上の複数個のごみ箱を積重ねるようにしてもよい。
【００１７】
(その他の実施例)
本考案のごみ箱において、底部付近の凹部及び上部の開口部分に設けた係止突起は、前記実施例１のごとき形態の組み合わせのほか、図３(ａ)又は(ｂ)に示すような底部に円弧状の凹部２０を設け、開口は円形をなすごみ箱であってもよい。このごみ箱は図３(ｃ)のように積重ねて使用される。
【００１８】
また、底部付近の凹部２０が図４(ａ)又は(ｂ)に示す直角カギ型であり、その開口形状が四角形で上縁が係止突起を兼ねるものであってもよい。このごみ箱は、図４(ｃ)のように積重ねて使用することができる。この場合、凹部が係止突起である開口の上縁と同様に直角をなしておれば積み重ねが可能であるため、大小異なる寸法の本考案ごみ箱を組み合わせ、図４(ｄ)のように下段の大きなごみ箱の上に順次小さなごみ箱を積重ねることもできる。
【００１９】
さらに、本考案のごみ箱は、図５(ａ)、(ｂ)などの形態の凹部２０をごみ箱の底部に設け、上部の開口を係止突起とする組み合わせにより積重ね可能なごみ箱としてもよい。
【００２０】
なお、前記した本考案にかかる種々の実施例では、ごみ箱上部の開口部分に係止突起を設け、これを嵌合可能な凹部を側壁の底部に設けているが、これとは逆に、開口部分に凹部を設け底部に係止突起を設けて、これらの嵌合により複数個のごみ箱を上下に積重ねてもよい。
【００２１】
本考案のごみ箱は、使用状態でない場合、たとえば店頭における陳列時や運搬・保管にあたっては、図６に示すように１つのごみ箱の開口に他のごみ箱１を底部から入れて順次積重ね、ごみ箱容積の３０％以上、好ましくは６０％以上が重なり合うように作製する。このようにして陳列スペースの確保及び輸送・保管コストが低減できる。
【産業上の利用可能性】
【００２２】
本考案のごみ箱は家庭の居室、台所或いは事務所、学校など室内にて単体で使用できるほか、積み重ねて多段にし、ごみの分別収集に対応したごみ箱として使用する。
【符号の説明】
【００２３】
１  ごみ箱      １１  底面            １２  側壁        １４  上縁  
１６  開口        １８  係止突起        １９  係止片      ２０  凹部
２２  凹部壁面
【図１】
0003171924.tif 000003
【図２】
0003171924.tif 000004
【図３】
0003171924.tif 000005
【図４】
0003171924.tif 000006
【図５】
0003171924.tif 000007
【図６】
0003171924.tif 000008
【図７】
0003171924.tif 000009
【図８】
0003171924.tif 000010